(57)【要約】【課題】例えば、シート状の止水部材を用いた場合でも効果的に止水を行うことが可能な止水構造を提供する。【解決手段】止水構造１０は、止水シート１１、止水シート１１の端部に設けられた弾性部材１４、固定部材１５、締結部材２０を備えている。固定部材１５は、止水シート１１の設置面に設けられており設置面に対して立てた状態で止水シート１１を固定する。締結部材２０は、止水シート１１と固定部材１５とを締結するとともに、締結動作によって、止水シート１１が弾性部材１４を設置面に押し付ける方向に移動させ、かつ締結動作による止水シート１１の移動距離が一定である。【選択図】図９
2019210729.tif 000002
【特許請求の範囲】
【請求項１】
板状またはシート状の止水部材と、
前記止水部材の第１端部に設けられた弾性部材と、
前記止水部材の設置面に設けられており、前記設置面に対して立てた状態で前記止水部材を固定する固定部材と、
前記止水部材と前記固定部材とを締結するとともに、締結動作によって、前記止水部材が前記弾性部材を前記設置面に押し付ける第１方向に移動させ、かつ前記締結動作による前記止水部材の前記第１方向における移動距離が一定である締結部材と、
を備えている止水構造。
【請求項２】
前記止水部材は、前記第１方向に沿って連続的に設けられた複数のリブを含むリブ構造を有する、
請求項１に記載の止水構造。
【請求項３】
前記リブ構造は、前記止水部材における水と接触する浸水側の面に設けられている、
請求項２に記載の止水構造。
【請求項４】
前記締結部材は、第１部と、前記第１部と締結される第２部とを有し、
前記第１部は、前記リブ構造に固定され、
前記第２部は、前記固定部材に固定される、
請求項２または３に記載の止水構造。
【請求項５】
前記第１端部は、前記止水部材における前記設置面と接触する下端部である、
請求項１から４のいずれか１項に記載の止水構造。
【請求項６】
前記締結部材は、被係止部材と、前記被係止部材に係止されるフック部と、前記フック部を前記被係止部材に係止させた状態で前記止水部材を前記第１方向へ移動させるレバー部とを有する、
請求項１から５のいずれか１項に記載の止水構造。
【請求項７】
前記固定部材および前記締結部材は、前記第１方向に交差する方向に沿って複数設けられている、
請求項１から６のいずれか１項に記載の止水構造。
【発明の詳細な説明】
【技術分野】
【０００１】
本発明は、所定領域への浸水を規制する際に設置される止水構造に関する。
【背景技術】
【０００２】
近年、ゲリラ豪雨や河川の氾濫等の緊急時等において、建造物や地下街への雨水の浸入を防止するために、止水構造が設置されている。
【０００３】
例えば、特許文献１には、水の浸入を防ぐために、板状の止水部材をネジによって設置面に対して押し付ける圧着機構を備えた浸水防止構造体について開示されている。
【先行技術文献】
【特許文献】
【０００４】
【特許文献１】特開２０１３−２３８００７号公報
【特許文献２】特開２０１５−８１４４２号公報
【発明の概要】
【発明が解決しようとする課題】
【０００５】
しかしながら、上記従来の止水構造では、以下に示すような問題点を有している。
すなわち、上記公報に開示された浸水防止構造体では、止水部材が板状の剛体であることが前提であって、止水部材としてシート状の部材を用いた場合には、止水部材の中央付近における押圧が十分でないために安定的に止水が行えないおそれがある。
【０００６】
また、ネジを用いた圧着機構では、ネジの回転数によって押圧力が変化するため、作業者によって押圧力に差が生じてしまい、安定的に止水が行えないおそれがある。
【０００７】
本発明の課題は、例えば、シート状の止水部材を用いた場合でも安定的に止水を行うことが可能な止水構造を提供することにある。
【課題を解決するための手段】
【０００８】
第１の発明に係る止水構造は、板状またはシート状の止水部材と、弾性部材と、固定部材と、締結部材とを備えている。弾性部材は、止水部材の第１端部に設けられている。固定部材は、止水部材の設置面に設けられており設置面に対して立てた状態で止水部材を固定する。締結部材は、止水部材と固定部材とを締結するとともに、締結動作によって、止水部材が弾性部材を設置面に押し付ける第１方向に移動させ、かつ締結動作による止水部材の第１方向における移動距離が一定である。
【０００９】
ここでは、例えば、ゲリラ豪雨や河川の氾濫等の発生時に建造物や地下街等の所定領域への浸水を防ぐために設置される止水構造において、第１端部に弾性部材が取り付けられた止水部材を設置面に立てた状態で設置する際に、締結部材を用いて、弾性部材を設置面に押し付ける第１方向に止水部材を移動させる。このとき、締結部材は、締結動作によって、一定の移動距離だけ止水部材を第１方向に移動させる。
【００１０】
ここで、止水部材は、剛性を有する板状の部材であってもよいし、剛性の低いシート状の部材であってもよい。また、弾性部材は、例えば、ゴム等の弾性を有する部材であって、止水部材の第１端部を覆うように設けられている。さらに、固定部材は、止水構造の設置面に配置され、止水部材を設置面に固定するための部材であって、例えば、所定の間隔で複数設けられている。そして、締結部材は、締結動作における弾性部材への押圧力が作業者ごとにばらつかない様に、第１方向において一定の移動距離だけ止水部材を移動させる。
【００１１】
これにより、設置面に対して弾性部材が一定の押圧力で押し付けられた状態で止水部材を設置することができるため、作業者による止水効果のばらつきを防止することができる。
【００１２】
この結果、例えば、シート状の止水部材を用いた場合でも安定的に止水を行うことができる。
【００１３】
第２の発明に係る止水構造は、第１の発明に係る止水構造であって、止水部材は、第１方向に沿って連続的に設けられた複数のリブを含むリブ構造を有する。
【００１４】
ここでは、止水部材の表面に、第１方向に沿って連続的に設けられた複数のリブを含むリブ構造を設けている。
【００１５】
これにより、止水部材がシート状、薄板等の強度が弱い構造であっても、表面に設けられた複数のリブを含むリブ構造によって補強することができる。
【００１６】
第３の発明に係る止水構造は、第１または第２の発明に係る止水構造であって、リブ構造は、止水部材における水と接触する浸水側の面に設けられている。
【００１７】
ここでは、止水部材の表面に設けられるリブ構造が、所定領域とは反対側の浸水領域側に配置される。
これにより、複数のリブが設けられた側の面において、浸水を防ぐことができる。
【００１８】
第４の発明に係る止水構造は、第１から第３の発明のいずれか１つに係る止水構造であって、締結部材は、第１部と、第１部と締結される第２部とを有している。第１部は、リブ構造に固定され、第２部は、固定部材に固定される。
【００１９】
ここでは、締結部材の第１部が、止水部材に設けられたリブ構造に固定され、第１部と締結される第２部が、固定部材側に固定される。
【００２０】
なお、締結部材を構成する第１部および第２部は、どちらが係止部側、被係止部側であってもよい。
【００２１】
これにより、リブ構造に固定された第１部を固定部材側の第２部に締結することで、止水部材を固定部材へ固定することができる。
【００２２】
第５の発明に係る止水構造は、第１から第４の発明のいずれか１つに係る止水構造であって、第１端部は、止水部材における設置面と接触する下端部である。
【００２３】
ここでは、弾性部材が、設置面と接触する止水部材の下端部に設けられている。
これにより、締結部材は、鉛直方向下向きに一定の距離だけ止水部材を移動させて、固定部材と止水部材とを締結することができる。
【００２４】
第６の発明に係る止水構造は、第１から第５の発明のいずれか１つに係る止水構造であって、締結部材は、被係止部材と、被係止部材に係止されるフック部と、フック部を被係止部材に係止させた状態で止水部材を第１方向へ移動させるレバー部とを有する。
【００２５】
ここでは、締結部材として、被係止部材、フック部、レバー部を含む構成を用いる。
これにより、簡素な構成によって、止水部材を設置面に対して押し付けることができるとともに、一定の移動量で締結動作を実施することができる。
【００２６】
第７の発明に係る止水構造は、第１から第６の発明のいずれか１つに係る止水構造であって、固定部材および締結部材は、第１方向に交差する方向に沿って複数設けられている。
【００２７】
ここでは、設置面に立設された固定部材と、固定部材と止水部材とを締結させる締結部材とが、締結部材によって止水部材を移動させる第１方向に交差する方向に沿って複数設けられている。
【００２８】
これにより、止水部材の幅方向（水平方向）における複数個所において、止水部材を固定部材に対して締結させることができる。
【００２９】
この結果、止水部材（弾性部材）の設置面に対する押圧力が弱い部分が発生することを防止して、より安定的に所定領域への浸水を防止することができる。
【発明の効果】
【００３０】
本発明に係る止水構造によれば、例えば、シート状の止水部材を用いた場合でも安定的に止水を行うことができる。
【図面の簡単な説明】
【００３１】
【図１】本発明の一実施形態に係る止水構造の設置状態を示す全体斜視図。
【図２】図１の止水構造を設置する際に、巻回された止水シートを収納部から引き出して固定部材によって設置面に固定した状態を示す斜視図。
【図３】図２の収納部に収納される巻回された止水シートにおける弾性部材側を示す図。
【図４】図１の止水構造の設置状態を所定領域側から見た斜視図。
【図５】（ａ）は、図４の固定部材の拡大図。（ｂ）は、図４の補強部材の拡大図。
【図６】図４の所定領域に配置された固定部材と止水シートとが締結部材によって固定された状態を示す正面図。
【図７】図６の締結部材の拡大図。
【図８】図６の締結部材の側面図。
【図９】図６の締結部材によって止水シートを鉛直方向下向きに所定の距離だけ移動させて弾性部材を押圧することを示す概略図。
【発明を実施するための形態】
【００３２】
本発明の一実施形態に係る止水構造１０について、図１〜図９を用いて説明すれば以下の通りである。
【００３３】
本実施形態の止水構造１０は、例えば、ゲリラ豪雨や河川の氾濫等の災害発生時に建造物や地下街等への雨水の浸入を防止するために設置される。そして、止水構造１０は、図１に示すように、浸水した、あるいは浸水の可能性がある浸水領域Ｓ１から所定領域Ｓ２への水の浸入を防止するために、収納部３０に巻回されたシート状の止水シート（止水部材）１１を引き出して設置される。
【００３４】
止水シート１１は、未使用時には、収納部３０の内部に巻回された状態で収納されている。そして、止水シート１１は、使用時には、図１に示すように、挿入ゴム１７（図３等参照）が取り付けられた第１端部側を引き出すように、収納部３０内から引き出され、溝部材１３において保持される。
【００３５】
ここで、止水シート１１が巻回された状態で収納される収納部３０は、図２に示すように、筐体部３１と、扉３２と、巻取り軸３３と、巻取りハンドル３４とを有している。
【００３６】
筐体部３１は、図１に示すように、壁面に埋め込まれるように設置されており、図３に示す巻回された状態の止水シート１１が収納される略直方体形状の箱であって、側面の開口部分を覆う扉３２が開閉可能な状態で取り付けられている。
【００３７】
なお、図３では、説明の便宜上、巻回された止水シート１１であって、下端部に取り付けられた弾性部材１４側が上になるように上下をひっくり返した状態を示している。
【００３８】
扉３２は、未使用時には閉じられており、止水シート１１を引き出す際、あるいは止水シート１１を巻き取って筐体部３１内に収納する際に開けられる。
【００３９】
巻取り軸３３は、筐体部３１の内部に略鉛直方向に沿って回転可能な状態で設置されたシート状の止水シート１１の回転中心であって、巻取りハンドル３４によって回転させられる。
【００４０】
巻取りハンドル３４は、筐体部３１の側面に形成された開口部の上部側面に設けられており、回転操作することで、巻取り軸３３を回転させることができる。よって、巻取りハンドル３４は、使用が終わった後の止水シート１１を巻取り軸３３に巻き取る際に、作業者によって回転操作される。
【００４１】
また、止水構造１０は、図１および図３に示すように、止水シート１１と、リブ構造１２と、弾性部材１４と、固定部材１５と、補強部材１６と、挿入ゴム１７と、板状部材１８と、締結部材２０と、を備えている。
【００４２】
止水シート１１は、例えば、炭素繊維やガラス繊維を含む樹脂製の繊維強化シートであって、図３に示すように、巻回された状態で収納部３０の筐体部３１内に収納されている。そして、止水シート１１は、図１および図２に示すように、止水構造１０の設置状態において、浸水領域Ｓ１と所定領域Ｓ２とを隔てる壁面を形成する。
【００４３】
なお、止水シート１１を形成する樹脂としては、例えば、ポリエチレン樹脂、ポリプロピレン樹脂、ナイロン樹脂、ポリメタクリル樹脂、ポリ塩化ビニル、ポリカーボネート樹脂等の熱可塑性樹脂、あるいは、ウレタン樹脂、ビニルエステル樹脂、エポキシ樹脂等の熱硬化性樹脂を用いることができる。
【００４４】
リブ構造１２は、止水シート１１の一方の表面に設けられた複数のリブ１２ａを含む補強用の部材であって、例えば、止水シート１１と同様の素材によって形成されている。
【００４５】
リブ構造１２に含まれる複数のリブ１２ａは、図１および図２に示すように、止水構造１０の設置状態において、略鉛直方向に沿って配置されている。これにより、止水シート１１の強度を向上させて、浸水領域Ｓ１側の水位が上昇した場合でも、止水シート１１が略鉛直方向において折れ曲がる等の不具合の発生を防止することができる。
【００４６】
また、リブ構造１２は、図１および図２に示すように、止水構造１０の設置状態において、浸水領域Ｓ１側に配置される。
【００４７】
これにより、浸水領域Ｓ１側の水位が上昇してきた場合でも、リブ構造１２が設けられた側の面において、水圧を抑えることができる。
【００４８】
弾性部材１４は、止水シート１１の下端部と設置面Ｆ１（図９参照）との間の隙間を埋めるために、止水シート１１の下端部に沿って設けられたゴム製の部材であって、止水構造１０の設置状態において、設置面Ｆ１に対して押圧されるように設置される。
【００４９】
これにより、止水シート１１と設置面Ｆ１との間の隙間から水が所定領域側へ浸水してくることを効果的に防止することができる。
【００５０】
なお、弾性部材１４を設置面Ｆ１側へ押圧する機構（締結部材２０）については、後段にて詳述する。
【００５１】
固定部材１５は、図２および図４に示すように、止水シート１１の設置方向に沿って設置面Ｆ１上に複数立設された部材であって、所定領域Ｓ２側に設置されている。そして、固定部材１５は、図５（ａ）に示すように、脚部１５ａ、固定溝１５ｂ、凹部１５ｃ、および平面部１５ｄを有している。
【００５２】
脚部１５ａは、設置面Ｆ１上に立設される脚部分であって、底面部分に固定溝１５ｂが設けられている。
【００５３】
固定溝１５ｂは、脚部１５ａを設置面Ｆ１に対して固定するためのボルトが挿入され、設置面Ｆ１側に締結される。
【００５４】
凹部１５ｃは、後述する補強部材１６が嵌め込まれる部分であって、脚部１５ａの上部に設けられている。これにより、補強部材１６を止水シート１１の表面に押し付けた状態で保持することができる。
【００５５】
平面部１５ｄは、後述する締結部材２０の一部（第２部）が配置される板状の部分であって、凹部１５ｃの上部に設けられている。
【００５６】
補強部材１６は、図５（ａ）に示すように、略四角形のフレーム部材であって、止水シート１１の所定領域側の面を補強するために、図４等に示すように、長手方向が略水平方向に沿って配置される。そして、補強部材１６は、上述した固定部材１５の凹部１５ｃに嵌め込まれるように保持される。
【００５７】
挿入ゴム１７は、図３に示すように、巻回された状態の止水シート１１の引き出し側の端部（第１端部）に取り付けられたゴム製の部材であって、板状部材１８に貼り付けられるように固定されている。そして、挿入ゴム１７は、止水構造１０の設置状態において、図４に示すように、溝部材１３内に挿入された状態で保持される。
【００５８】
板状部材１８は、図３に示すように、止水シート１１の引き出し側の端部（第１端部）側において、止水シート１１の一方の面に貼り付けられたリブ構造１２に含まれる複数のリブ１２ａに対して固定されている。そして、板状部材１８は、折り曲げ不能な剛性を有しており、所定領域Ｓ２側の面に挿入ゴム１７が貼り付けられている。
【００５９】
締結部材２０は、図６に示すように、設置面Ｆ１に固定された固定部材１５と止水シート１１とを締結することで、止水シート１１を設置面に設置するための部材であって、スナップ式の締結部材（いわゆるパッチン錠）が用いられている。そして、締結部材２０は、締結動作によって、止水シート１１を鉛直方向下向きに移動させながら止水シート１１と固定部材１５（設置面Ｆ１）とを締結する。
【００６０】
より詳細には、締結部材２０は、図７に示すように、止水シート１１側に設けられた被係止部材（第１部）２１と、固定部材１５側に設けられたフック部２２およびレバー部２３（ともに第２部）とによって構成されている。
【００６１】
被係止部材２１は、締結動作において、フック部２２が係止される第１部側の部材であって、止水シート１１に対して取り付けられている。そして、被係止部材２１は、図７および図８に示すように、被係止部２１ａと、平面部２１ｂと、固定ボルト２１ｃと、平板２１ｄと、ナット２１ｅとを有している。
【００６２】
被係止部２１ａは、図８に示すように、平面部２１ｂの表面から略Ｌ字状の部分が突出するように形成されており、フック部２２が係止される。これにより、締結部材２０による締結動作によって、第１部側（被係止部材２１）と第２部側（フック部２２、レバー部２３）とが締結される。
【００６３】
平面部２１ｂは、図８に示すように、被係止部２１ａを止水シート１１の表面に固定するための板状の部材であって、３本の固定ボルト２１ｃが挿入されるボルト穴が形成されている。
【００６４】
固定ボルト２１ｃは、図８に示すように、平面部２１ｂ、平板２１ｄおよび止水シート１１、リブ構造１２を貫通するように３本配置されている。そして、固定ボルト２１ｃは、平面部２１ｂと平板２１ｄとの間に、止水シート１１およびリブ構造１２を挟み込んだ状態で固定する。
【００６５】
平板２１ｄは、図８に示すように、止水シート１１とは反対側のリブ構造１２側に配置された板状の部材であって、上述した３本の固定ボルト２１ｃの先端が挿入されるボルト穴が形成されている。そして、平板２１ｄは、３本の固定ボルト２１ｃの先端がボルト穴に挿入された状態でナット２１ｅを用いて固定される。
【００６６】
フック部２２は、図７および図８に示すように、被係止部材２１の被係止部２１ａに係止されるリング状の部材であって、回動中心となる根元部分が、レバー部２３の両側の側面にそれぞれ取り付けられている。
【００６７】
レバー部２３は、締結動作時に操作される部分であって、図８に示すように、フック部２２の先端部分が被係止部材２１の被係止部２１ａに係止された状態で下向きに操作されることで、被係止部２１ａ側（つまり、止水シート１１側）を略鉛直方向下向きに移動させながら、締結状態へ移行する。
【００６８】
ここで、レバー部２３の操作によって移動する止水シート１１の下端部には、設置面Ｆ１と止水シート１１の下端部との間の隙間を埋めるために設けられた弾性部材１４が設けられている。
【００６９】
本実施形態の止水構造１０では、締結部材２０による締結動作において、図９に示すように、毎回、弾性部材１４が設けられている略鉛直方向下向きに一定の距離だけ止水シート１１を移動させて締結状態とする。
【００７０】
ここで、締結部材２０による締結動作では、フック部２２を被係止部２１ａに係止させた状態から、レバー部２３を締結位置（図８参照）まで回動させる。このとき、フック部２２のリング状の部分の長さとレバー部２３の回動半径等によって、締結動作によって被係止部材２１側（止水シート１１側）が移動する長さは一定となる。
【００７１】
すなわち、本実施形態の止水構造１０の構成によれば、作業者によって締結動作時に被係止部材２１側（止水シート１１側）が移動する長さがばらつくことはないため、締結動作による弾性部材１４へ付与される押圧力のばらつきを防止することができる。
【００７２】
これにより、作業者によらず止水シート１１の下端部に設けられた弾性部材１４に対して、毎回一定の押圧力を付与することで、止水効果のばらつきの発生を防止することができる。よって、作業者が変わっても設置面Ｆ１に対して弾性部材１４が押し付けられる力を常にほぼ一定にして、安定した状態で浸水領域Ｓ１から所定領域Ｓ２への浸水を安定的に防止することができる。
【００７３】
また、本実施形態の止水構造１０では、図１および図２に示すように、止水シート１１の表面に、略鉛直方向に沿って配置された複数のリブ１２ａを含むリブ構造１２が設けられている。
【００７４】
これにより、巻回可能なシート状の止水シート１１であっても、止水シート１１に剛性を付与することができる。よって、浸水領域Ｓ１側の水位が上昇して止水シート１１に対して水圧が掛かった場合でも、リブ構造１２によって補強された止水シート１１によってその状態を保持することができる。
【００７５】
また、本実施形態の止水構造１０では、図１および図２に示すように、リブ構造１２が、止水シート１１における浸水領域Ｓ１側の面に設けられている。
【００７６】
これにより、複数のリブ１２ａを含むリブ構造１２を、浸水側の面に設けることで、止水シート１１の補強された側の面において浸水を防ぐことができる。
【００７７】
また、本実施形態の止水構造１０では、図７および図８に示すように、締結部材２０を構成する被係止部材（第１部材）２１が止水シート１１およびリブ構造１２に対して固定されている。一方、締結部材２０を構成するフック部２２およびレバー部２３（ともに第２部）は、図５に示すように、固定部材１５側（設置面Ｆ１側）に固定されている。
【００７８】
これにより、止水シート１１およびリブ構造１２に固定された被係止部材２１と、固定部材１５側のフック部２２とを締結することで、止水シート１１を設置面Ｆ１に対して固定することができる。
【００７９】
また、本実施形態の止水構造１０では、図１および図２に示すように、固定部材１５および締結部材２０が、締結部材２０の締結動作によって止水シート１１を移動させる略鉛直方向に交差する略水平方向に沿って複数設けられている。
【００８０】
これにより、止水シート１１の幅方向（略水平方向）における複数個所において、止水シート１１を固定部材１５（設置面Ｆ１）に対して締結させることができる。
【００８１】
この結果、止水シート１１（弾性部材１４）の設置面Ｆ１に対する押圧力が弱い部分が発生することを効果的に防止して、より安定的に所定領域Ｓ２への浸水を防止することができる。
【００８２】
［他の実施形態］
以上、本発明の一実施形態について説明したが、本発明は上記実施形態に限定されるものではなく、発明の要旨を逸脱しない範囲で種々の変更が可能である。
【００８３】
（Ａ）
上記実施形態では、巻取り可能なシート状の止水シート１１が用いられた例を挙げて説明した。しかし、本発明はこれに限定されるものではない。
例えば、板状の止水部材が用いられた構成であってもよい。
【００８４】
（Ｂ）
上記実施形態では、スナップ式の締結部材２０を用いて、止水シート１１を設置面Ｆ１に対して移動させる例を挙げて説明した。しかし、本発明はこれに限定されるものではない。
【００８５】
例えば、スナップ式の代わりに、トグルクランプ等の他の締結部材を用いてもよい。
トグルクランプは、作動過程において所定のポイントを過ぎると反力の向きが反対になってセルフロックするトグル機構を用いた補助工具であって、ハンドルを操作して締結動作を行う。
【００８６】
（Ｃ）
上記実施形態では、止水シート１１の一方の面に、補強用の複数のリブ１２ａを含むリブ構造１２が設けられている例を挙げて説明した。しかし、本発明はこれに限定されるものではない。
例えば、表面にリブ構造を持たないシート状の止水部材であってもよい。
【００８７】
（Ｄ）
上記実施形態では、補強用の複数のリブ１２ａを含むリブ構造１２が、設置状態における浸水側の面に配置される例を挙げて説明した。しかし、本発明はこれに限定されるものではない。
例えば、リブ構造が配置される面を浸水側とは反対側（屋内側）としてもよい。
【００８８】
（Ｅ）
上記実施形態では、締結部材２０によって、設置面（下面）Ｆ１に対して弾性部材１４を押圧するように止水シート１１を略鉛直方向下向きに移動させる例を挙げて説明した。しかし、本発明はこれに限定されるものではない。
【００８９】
例えば、締結部材によって、壁面に対して弾性部材を押圧するように止水部材を略水平方向へ移動させる構成であってもよい。
【００９０】
（Ｆ）
上記実施形態では、シート状の止水シート１１を所定領域側から補強するための補強部材１６を用いた例を挙げて説明した。しかし、本発明はこれに限定されるものではない。
【００９１】
例えば、止水部材として板状の部材等の剛性のある部材を用いる場合には、補強部材を用いない構成であってもよい。
【００９２】
（Ｇ）
上記実施形態では、収納部３０から引き出した止水シート１１の第１端側の挿入ゴム１７を、溝部材１３に挿入して固定する例を挙げて説明した。しかし、本発明はこれに限定されるものではない。
【００９３】
例えば、止水シートの第１端側を固定する手段として、専用の溝部材ではなく、既設のシャッタ溝を利用してもよい。
【００９４】
（Ｈ）
上記実施形態では、収納部３０が壁面に埋め込まれるように設置された例を挙げて説明した。しかし、本発明はこれに限定されるものではない。
【００９５】
例えば、ゲリラ豪雨や河川の氾濫等のおそれがある場所に収納部３０を持ち運んで、止水構造を設置するようにしてもよい。
【００９６】
（Ｉ）
上記実施形態では、巻取り可能なシート状の止水シート１１を収納部３０の筐体部３１に設けられた巻取りハンドル３４を用いて巻き取る例を挙げて説明した。しかし、本発明はこれに限定されるものではない。
【００９７】
例えば、予め巻き取られたシート状の止水シートを、収納部の筐体部内に収納する構成であってもよい。
【００９８】
（Ｊ）
上記実施形態では、収納部３０の筐体部３１内に巻回された状態の止水シート１１を収納し、使用時には、止水シート１１を巻き出して設置する例を挙げて説明した。しかし、本発明はこれに限定されるものではない。
【００９９】
例えば、止水を行う両端に溝部材を設置し、そこに止水シート（止水部材）を設置する着脱式の構成であってもよい。
【０１００】
このとき、溝部材の一方を、既設のシャッタ溝で代用してもよい。
【産業上の利用可能性】
【０１０１】
本発明の止水構造は、例えば、シート状の止水部材を用いた場合でも安定的に止水を行うことができるという効果を奏することから、建造物や地下街への浸水を防止するための手段として広く適用可能である。
【符号の説明】
【０１０２】
１０      止水構造
１１      止水シート（止水部材）
１２      リブ構造
１２ａ    リブ
１３      溝部材
１４      弾性部材
１５      固定部材
１５ａ    脚部
１５ｂ    固定溝
１５ｃ    凹部
１５ｄ    平面部
１６      補強部材
１７      挿入ゴム
１８      板状部材
２０      締結部材
２１      被係止部材（第１部）
２１ａ    被係止部
２１ｂ    平面部
２１ｃ    固定ボルト
２１ｄ    平板
２１ｅ    ナット
２２      フック部（第２部）
２３      レバー部（第２部）
３０      収納部
３１      筐体部
３２      扉
３３      巻取り軸
３４      巻取りハンドル
Ｆ１      設置面
Ｓ１      浸水領域
Ｓ２      所定領域
【図１】
2019210729.tif 000003
【図２】
2019210729.tif 000004
【図３】
2019210729.tif 000005
【図４】
2019210729.tif 000006
【図５】
2019210729.tif 000007
【図６】
2019210729.tif 000008
【図７】
2019210729.tif 000009
【図８】
2019210729.tif 000010
【図９】
2019210729.tif 000011